(57)【要約】【課題】  リネンサプライ分野における、ホテルやレストランのコック服やクロス、ホテルや旅館のシーツ、枕カバー、タオル類、ホームクリーニング分野におけるワイシャツといった繊維製品の洗浄を行う際に、繊維製品間及び繊維製品内での染料移動を抑制すると共に優れた洗浄性能を発揮する業務用洗剤、ヘビー洗剤に好適な洗浄剤組成物を提供する。【解決手段】  （Ａ）移染防止剤と、（Ｂ）下記一般式（Ｉ）に示すノニオン性化合物及び（Ｃ）下記一般式（II）に示すノニオン性界面活性剤から選ばれる少なくとも１種とを含有することを特徴とする洗浄剤組成物。    【化１】2006008951.tif 000015    【化２】2006008951.tif 000016【選択図】  なし【特許請求の範囲】
【請求項１】
（Ａ）移染防止剤と、（Ｂ）下記一般式（Ｉ）に示すノニオン性化合物及び（Ｃ）下記一般式（II）に示すノニオン性界面活性剤から選ばれる少なくとも１種とを含有することを特徴とする洗浄剤組成物。
【化１】
2006008951.tif 000012
【化２】
2006008951.tif 000013
【請求項２】
移染防止剤が、分子内に下記一般式（III）に示す構造を含む水溶性高分子である請求項１記載の洗浄剤組成物
【化３】
2006008951.tif 000014
【発明の詳細な説明】
【技術分野】
【０００１】
本発明は、洗剤組成物に関し、更に詳しくは、リネンサプライ分野における、ホテルやレストランのコック服やクロス、ホテルや旅館のシーツ、枕カバー、タオル類、ホームクリーニング分野におけるワイシャツといった繊維製品の洗浄を行う際に、繊維製品間及び繊維製品内での染料移動を抑制すると共に優れた洗浄性能を発揮する業務用洗剤、ヘビー洗剤に好適な洗浄剤組成物に関する。
【背景技術】
【０００２】
従来より、リネン分野ではシーツ、枕カバー、コック服、クロス等の繊維製品を洗浄する際には、大型の縦型バッチワッシャーや連続式洗濯機といった大量の被洗物を洗浄処理する事が可能な洗濯機が用いられている。また、ホームクリーニング分野においても、ワイシャツ等を洗浄する際には、縦型のバッチワッシャーを用いている。
【０００３】
この洗濯機は、縦回転での洗浄方式を取るため泡立ちやすい特徴があり、用いられる洗剤としては、例えばエタノールを含まない液体洗剤組成物（例えば、特許文献１参照）、オレイン酸を含む液体洗浄剤組成物を合成樹脂容器に収納した容器入り液体洗浄剤（例えば、特許文献２参照）、２種類の特定ノニオン界面活性剤を特定比率で組み合わせて配合してなるランドリー用粉末洗剤組成物（例えば、特許文献３参照）、非イオン性界面活性剤を主洗浄基剤として特定のシリカ系無機化合物、低分子量ポリカルボン酸などを配合したランドリー用粉末洗剤組成物（例えば、特許文献４参照）等に記載の低泡性の洗剤が好適に使用されてきている。
【０００４】
しかしながら、上記４件の特許文献の各公報に記載されている洗剤等では、近年の生活様式の多様化に伴う、汚れの多様化に対応しきれず、十分な洗浄性能を発揮させる事が困難になりつつある。
【０００５】
一方、リネンサプライ分野でも、ユーザーの嗜好性の多様化に対応するために、タオル、クロス等一部の繊維製品に色柄ものが増えつつある。そこで、洗浄中に繊維製品より色素が溶出し、他の繊維製品へ色移りするいわゆる移染の問題が発生してきている。この移洗の問題は、さまざまな繊維製品を洗う連続式洗濯機では、洗濯水を循環させる構造上、色素が溶出した洗濯水が他の繊維製品の洗浄にも使用されてしまう事から、移染の問題は深刻になりつつある。
さらに、一般家庭から持ち込まれる衣料を洗浄するホームクリーニング分野ではバッチワッシャーを主に用いるが、さまざまな繊維製品を同浴で洗浄することから、リネン分野同様に移染の問題は深刻である。
【０００６】
この、移染を防止する洗浄剤組成物として、Ｎ−ビニルイミダゾール＝Ｎ−ビニルピロリドン共重合体を含んでなり、該共重合体が５０００〜５００００の分子量を有することを特徴とする洗剤組成物（例えば、特許文献５参照）や、ビニルピリジン共重合体を含む事を特徴とする染料移動抑制組成物（例えば、特許文献６参照）が知られている。
しかしながら、これらの文献に記載される染料移動抑制組成物を含む洗剤組成物は、洗濯の際の移染を防止するものとしては優れた物ではあるが、未だ洗浄性能を更に高めるものでなく、移染を防止しかつ洗浄性能を更に向上させることが出来る洗浄剤組成物の出現が切望されているのが現状である。
【特許文献１】特開昭６１−１６６８９８号公報（特許請求の範囲、実施例等）
【特許文献２】特開昭６１−６０７９７号公報（特許請求の範囲、実施例等）
【特許文献３】特開平１１−２１５９８号公報（特許請求の範囲、実施例等）
【特許文献４】特開平１１−２１５９９号公報（特許請求の範囲、実施例等）
【特許文献５】特表平９−５０２７４４号公報（特許請求の範囲、実施例等）
【特許文献６】特表２００２−５１５９２１号公報（特許請求の範囲、実施例等）
【発明の開示】
【発明が解決しようとする課題】
【０００７】
本発明は、上記従来技術の課題及び現状に鑑み、これを解決しようとするものであり、大型の縦型バッチワッシャーや連続式洗濯機を使用してホテルのシーツ、タオル、レストランのコック服、クロス、ユニホーム及びワイシャツ等の洗浄を行うにあたり、多様化する汚れに対応し優れた洗浄性能を発揮し、かつ、優れた繊維間の染料の移動を抑制する洗浄剤組成物を提供する事を目的とする。
【課題を解決するための手段】
【０００８】
本発明者らは、上記従来技術の課題等について鋭意検討した結果、特定の移染防止成分と、特定のアルコールエトキシレートにアリキルグリシジルエーテルを付加させた化合物を使用する事により、上記目的とする多様化する汚れに対し優れた洗浄性能を発揮し、かつ、優れた繊維製品間の染料の移動を抑制する洗浄剤組成物が得られることを見い出し、本発明を完成するに至ったのである。
【０００９】
すなわち本発明は、次の（１）及び（２）に存する
（１）  （Ａ）移染防止剤と、（Ｂ）下記一般式（Ｉ）に示すノニオン性化合物及び（Ｃ）下記一般式（II）に示すノニオン性界面活性剤から選ばれる少なくとも１種とを含有することを特徴とする洗浄剤組成物。
【化１】
2006008951.tif 000002
【化２】
2006008951.tif 000003
（２）移染防止剤が、分子内に下記一般式（III）に示す構造を含む水溶性高分子である上記（１）記載の洗浄剤組成物
【化３】
2006008951.tif 000004
【発明の効果】
【００１０】
本発明によれば、繊維製品間の染料移動を抑制すると共に、洗浄力を更に向上させた優れた洗浄性能を発現することが出来る洗浄剤組成物が提供される。
【発明を実施するための最良の形態】
【００１１】
以下に本発明の実施形態を詳しく説明する。
本発明の洗浄剤組成物は、（Ａ）移染防止剤と、（Ｂ）下記一般式（Ｉ）に示すノニオン性化合物及び（Ｃ）下記一般式（II）に示すノニオン性界面活性剤から選ばれる少なくとも１種とを含有することを特徴とする洗浄剤組成物。
【化４】
2006008951.tif 000005
【化５】
2006008951.tif 000006
【００１２】
本発明に用いる（Ａ）成分の移染防止剤としては、繊維製品間の染料移動を抑制するものであれば特に限定されず、例えば、分子内に下記一般式（III）に示す構造を含む水溶性高分子があげられ、好ましくは、繊維製品間の染料移動を更に抑制する点から、平均分子量が４００００〜４０００００であるものが望ましい。
【化６】
2006008951.tif 000007
【００１３】
具体的に用いることができる（Ａ）成分の移染防止剤としては、平均分子量が４００００〜４０００００ポリビニルピロリドン、Ｎ−ビニルピロリドンとＮ−ビニルイミダゾールの共重合体、ビニルイミダゾールなどの少なくとも１種（単独又は２種以上の混合物）が挙げられ、好ましくは、繊維製品間の染料移動を更に抑制する点から上記範囲となる平均分子量のポリビニルピロリドン、Ｎ−ビニルピロリドンとＮ−ビニルイミダゾールの共重合体が望ましい。
【００１４】
これらの（Ａ）成分の含有量は、洗浄剤組成物全量に対し、好ましくは、０．１〜１０質量％（以下、単に、「％」という）、更に好ましくは、０．５〜３％の範囲で用いられる。
この（Ａ）成分の含有量が０．１％未満であると、繊維製品間の染料移動抑制効果が発現されず、一方、１０％を超えると、洗浄成分の含有量が低下するため、洗浄性能が低下し好ましくない。
【００１５】
本発明に用いられる（Ｂ）成分は、上記一般式（Ｉ）に示すノニオン性化合物である。
上記一般式（Ｉ）で示される化合物は、高級アルコールに酸化エチレンを付加して得られる高級アルコールエトキシレートにアルキルグリシジルエーテルを付加させることにより得られるものであり、上記高級アルコールエトキシレートの親水基末端を炭素数1〜５などのアルキルグリシジルエーテルなどで変性したノニオン性化合物である。
一般式（Ｉ）で示されるノニオン性化合物に用いられる高級アルコールとしては、例えば、天然由来の椰子アルコールやパーム核油アルコールまたこれらの部分留分であるコノール、合成アルコールであるα−メチル分岐第一級アルコールを含有するドバノールやダイヤドール、直鎖第二級アルコールであるソフタノール、多分岐鎖を有する第一級アルコールであるブテンの２〜３量体やプロピレンの３〜５量体から導かれるイソトリデシルアルコール等が挙げられる。
【００１６】
本発明に用いられる上記一般式（Ｉ）で示されるノニオン性化合物に付加したポリオキシエチレン基の平均付加モル数は３〜１２の範囲で、好ましくは、４〜１０の範囲、更に好ましくは、５〜８の範囲の物が望ましい。
このエチレンオキシドの平均付加モル数が３未満では、未反応アルコールの臭気が強くなり、また、平均付加モル数が１２を越えると、洗浄時の泡立ちが激しくなるほか、油性汚れに対する洗浄性能低下につながり好ましくない。
【００１７】
本発明に用いられる上記一般式（Ｉ）で示されるノニオン性化合物で、高級アルコールエトキシレートに付加させるアルキルグリシジルエーテルとしては、具体的には、メチルグリシジルエーテル、エチルグリシジルエーテル、イソプロピルグリシジルエーテル、ｎ−ブチルグリシジルエーテル、ｔｅｒｔ−ブチルグリシジルエーテル、アリルグリシジルエーテルなどが挙げられ、これらの中でも好ましくは、エチルグリシジルエーテル、イソプロピルグリシジルエーテル、ｎ−ブチルグリシジルエーテル、ｔｅｒｔ−ブチルグリシジルエーテルが用いられる。
【００１８】
これらの付加方法に関しては、特に限定するものではないが、加熱加圧下で酸またはアルカリ触媒下で付加させてもよく、加熱下で三弗化ホウ素等の触媒を用いて付加させてもよい。
【００１９】
本発明に用いられる（Ｃ）成分は、上記一般式（II）に示すノニオン性界面活性剤である。
上記一般式（II）で示される化合物は、高級アルコールに酸化エチレンを付加して得られる高級アルコールエトキシレートに更に酸化プロピレンを付加して得られるノニオン性界面活性剤である。
一般式（II）で示されるノニオン性界面活性剤に用いられる高級アルコールとしては、例えば、天然由来の椰子アルコールやパーム核油アルコールまたこれらの部分留分であるコノール、合成アルコールであるα―メチル分岐第一級アルコールを含有するドバノールやダイヤドール、直鎖第二級アルコールであるソフタノール、多分岐鎖を有する第一級アルコールであるブテンの２〜３量体やプロピレンの３〜５量体から導かれるイソトリデシルアルコール等が挙げられる。
【００２０】
本発明に用いられる上記一般式（II）で示されるノニオン性界面活性剤に付加したエチレンオキシド基の平均付加モル数は、好ましくは４〜１８の範囲で、更に好ましくは５〜１６の範囲のものが望ましい。
このエチレンオキシドの平均付加モル数が３未満では、未反応アルコールの臭気が強くなるほか、水への溶解性が低下し、洗浄性能の著しい低下につながる。また、平均付加モル数が１８を越えると、洗浄時の泡立ちが激しく好ましくない。
また、本発明に用いられる上記一般式（II）で示されるノニオン界面活性剤に付加したプロピレンオキシド基の平均付加モル数は１〜５の範囲、好ましくは、１〜３の範囲であるものが好ましい。
プロピレンオキシドの平均付加モル数が１未満では、洗浄中の抑泡効果が低くなり、また５を越えると、生分解性が低下するため好ましくない。
【００２１】
本発明で用いられる上記（Ｂ）成分及び上記（Ｃ）成分は、洗浄強化成分として使用されるものである。液体の洗浄剤組成物として使用する場合は、水や有機溶媒に希釈することも可能であり、更には、粉末の洗浄剤組成物として使用する場合は、粉末の担体に噴霧し担持させて粉末洗浄剤組成物とすることができる。
本発明で用いられる上記（Ｂ）成分の含有量は、洗浄剤組成物全量に対して、好ましくは０．５〜５％、更に好ましくは０．５〜３％の範囲で用いられる。
上記（Ｂ）成分の含有量が０．５％未満であると、洗浄性能が低下し、一方、５％を超えると洗浄剤組成物の保存安定生に課題が生じる。すなわち、粉末洗剤に配合した場合は、保存中にケーキングを生じ、液体洗剤に配合した場合は、保存中に分離を生じるため、好ましくない。
【００２２】
また、本発明で用いられる上記（Ｃ）成分の含有量は、洗浄剤組成物全量に対して、好ましくは、０〜１５％、更に好ましくは、１〜１０％の範囲で用いられる。
上記（Ｃ）成分の含有量が１５％を超えると、保存安定生に課題を生じる。粉末洗剤に配合した場合は保存中にケーキングを生じ、液体洗剤に配合した場合は、保存中に粘度が上昇し、好ましくない。
【００２３】
本発明で用いられる上記（Ｂ）成分及び上記（Ｃ）成分は洗浄剤組成物に配合する際には、それぞれ単独で用いることができるが、好ましくは上記（Ｂ）成分と上記（Ｃ）成分を併用することが望ましい。
【００２４】
本発明の洗浄剤組成物は、上記（Ａ）成分の移染防止剤と、上記（Ｂ）成分のノニオン性化合物及び上記（Ｃ）成分のノニオン性界面活性剤から選ばれる少なくとも１種を含有するものであり、液体洗浄剤として使用する場合、粉末洗剤として使用する場合のいずれにおいても、通常洗剤に使用される各種成分を、その剤形を損なわない範囲で配合することができる。
例えば、下記（１）〜（１３）の洗浄剤成分を配合することができる。
（１）  高級アルコールエトキシレート、プルロニック型ノニオン界面活性剤、ポリオキシアルキレンアルキルアミン誘導体といったノニオン性界面活性剤
（２）  直鎖アルキルベンゼンスルホン酸塩、α−オレフィンスルホン酸塩、アルキル硫酸エステル塩、石鹸等のアニオン性界面活性剤
（３）  エチレンジアミン四酢酸塩やニトリロ三酢酸塩といったアミノポリカルボン酸塩やポリアクリル酸塩やポリアクリル酸とマレイン酸の共重合体の塩といった高分子等の金属封鎖剤
（４）  炭酸塩や珪酸塩といったアルカリ剤
（５）  無水硫酸塩、無水珪酸等の担持体
（６）  蛍光増白剤
（７）  プロテアーゼ、リパーゼ、アミラーゼといった酵素
（８）  カルボキシメチルセルロース、ポリエチレングリコール、ポリアルキレンテレフタレート・ポリオキシアルキレンアルキルテレフタレート等の再汚染防止剤
（９）  シリコーンに代表される消泡剤
（１０）エタノール、イソプロパノールといった短鎖アルコール類や、エチレングリコールやプロピレングリコールといったグリコール類等の溶剤
（１１）イソチアゾロンやベンゾイソチアゾロン類といった抗菌剤
（１２）過炭酸塩や過硼酸塩等の漂白剤
（１３）テトラアセチルエチレンジアミン、アルカノイルオキシベンゼンカルボン酸塩、アルカノイルオキシベンゼンスルホン酸塩等の漂白活性成分
【００２５】
本発明の洗浄剤組成物は、上記（Ａ）成分の移染防止剤と、上記（Ｂ）成分のノニオン性化合物及び上記（Ｃ）成分から選ばれる少なくとも１種を含有することを特徴とするものであって、その他の構成は特に限定されるものではなく、洗浄剤成分として上述（１）〜（１３）の成分の他、公知の各種洗浄剤成分を適宜使用する事ができる。また、洗浄剤組成物の剤形は、上記液体状、粉末状の他、タブレット状、ゲル状、シート状（例えば、水可溶性シート体に洗浄剤組成物を収容したもの）の洗浄剤組成物であってもよく、特に業務用洗剤、ヘビー洗剤に好適に用いることができる。
【００２６】
本発明の洗浄剤組成物は、洗浄対象となる被洗物は特に限定するものではないが、特に、リネンサプライ分野において、ホテルのシーツ、枕カバーやタオル類、レストランのクロスやコック服、ユニホーム、ホームクリーニングのワイシャツ洗いに等に用いることができる。
【００２７】
このように構成される本発明の洗浄強化組成物は、大型の縦型バッチワッシャーや連続式洗濯機を使用してホテルのシーツ、タオル、レストランのコック服、クロス、ユニホーム及びワイシャツ等の洗浄を行うにあたり、多様化する汚れに対し優れた洗浄性能を発揮し、かつ、優れた繊維間の染料の移動を抑制することが可能となる。
【実施例】
【００２８】
次に、本発明を実施例及び比較例により更に詳しく説明するが、本発明は下記実施例に限定されるものではない。
【００２９】
〔実施例１〜６及び比較例１〜３〕
下記表１及び２に示す配合組成により、粉末洗浄剤組成物を調製した。
得られた各粉末洗浄剤組成物を用いて、下記評価方法により、洗浄力及び移染防止力の評価を行った。
これらの結果を下記表１及び２に示す。
【００３０】
＜洗浄力の評価法＞
ワッシャー（株式会社アサヒ製作所、ＥＣＯＮＯＭＡＴ−１０）に、洗浄力試験布ＥＭＰＡ１０１（５ｃｍ×５ｃｍ、ＥＭＰＡ  ＴＥＳＴ  ＭＡＴＥＲＩＡＬ社製）５枚を縫い付けたシーツ１枚を含めたシーツ合計１０ｋｇを入れた。ここに実施例及び比較例に示す組成物１００ｇを投入し、５０℃で１５分洗浄後、すすぎ、脱水、乾燥を行った。その後、洗浄力試験布の反射率を測定し、下式（１）にて洗浄力の算出し、下記評価基準にしたがって評価した。
【数１】
2006008951.tif 000008
評価基準：
◎：洗浄率４５％以上
○：洗浄率３５％以上４５％未満
△：洗浄率２５％以上３５％未満
×：洗浄率２５％未満
【００３１】
＜移染防止力の評価法＞
実施例及び比較例に示す組成物２，０００ｐｐｍ溶液１００ｍＬを１５０ｍＬのふた付瓶に入れ、この中に０．１％Ｓｕｍｌｉｇｈｔ  Ｓｕｐｒａ  Ｂｌｕｅ  ＢＲＲ（直接染料  住友化学製）溶液５ｇを入れた。ここに綿製試験白布（５ｃｍ×５ｃｍ、洗濯化学協会）１０枚を投入、ふたをした後、振とう機（ヤマト製ＢＴ−３１）にて５０℃で３０分間振とう処理を行った。処理後、試験白布のすすぎ、乾燥を行い、色差計〔Ｓｐｅｃｔｒｏ  Ｃｏｌｏｒ  Ｍｅｔｅｒ  ＳＥ２０００（日本電色社製）〕にて、清浄布及び試験布のＬ＊、ａ＊、ｂ＊値の測定を行い、下式２よりΔＥ＊を求め、下記評価基準にしたがって
評価した。
【数２】
2006008951.tif 000009
評価基準：
◎：移染防止能１未満
○：移染防止能１以上５未満
△：移染防止能５以上１０未満
×：移染防止能１０以上
【００３２】
【表１】
2006008951.tif 000010
【００３３】
【表２】
2006008951.tif 000011
【００３４】
上記表１及び２中の略号等は、下記のとおりである。
＜成分（Ａ）：移染防止剤＞
Ａ−１：ポリビニルピロリドン  ＳｏｋａｌａｎＨＰ５３（ＢＡＳＦ社製）、
ＭＷ：４００００
Ａ−２：Ｎ−ビニルピロリドンとＮ−ビニルイミダゾールの共重合体、
Ｓｏｋａｌａｎ  ＨＰ５６  （ＢＡＳＦ社製）、ＭＷ：７００００
＜成分（Ｂ）：ノニオン性化合物＞
Ｂ−１：２級アルコールの酸化エチレン平均７モル付加物（ソフタノール７０：日本触媒
社製）とｎ−ブチルグリシジルエーテルとの反応生成物
Ｂ−２：イソトリデシルアルコールの酸化エチレン平均７モル付加物（ルテンゾールＴＯ
７：ＢＡＳＦ社製）とｎ−ブチルグリシジルエーテルとの反応生成物
Ｂ−３：ドバノール２３アルコールの酸化エチレン平均５モル付加物（ドバノックス２３
Ｅ：ライオン製）とイソプロピルグリシジルエーテルとの反応生成物
＜成分（Ｃ）：ノニオン界面活性剤＞
Ｃ−１：直鎖Ｃ１２、１４アルコール酸化エチレン平均６モル及び酸化プロピレン２モル
付加物
Ｃ−２：直鎖Ｃ１２、１４アルコール酸化エチレン平均１３モル及び酸化プロピレン２モ
ル付加物
＜その他成分＞
Ｄ−１：２級アルコールのエチレングリコール９モル付加品（ソフタノール９０：日本触
社媒製）
Ｃ−２：イソトリデシルアルコールの酸化エチレン平均７モル付加物（ルテンゾールＴＯ
７）
ＮＴＡ：ニトリロ３酢酸３ナトリウム  （トリロン  Ａ９２Ｒ  ＢＡＳＦ社製）
ソカラン：アクリル酸・マレイン酸コポリマーのＮａ塩（Ｓｏｋａｌａｎ  ＣＰ７  ＢＡ
ＳＦ社製）
ＰＥＧ６０００：ポリエチレングリコール＃６０００
ＣＭＣ：カルボキシメチルセルロース
【００３５】
上記表１及び表２の結果から明らかなように、本発明範囲となる実施例１〜６は、本発明の範囲外となる比較例１〜３に較べて、洗浄力を更に向上させると共に、移染防止力（織物間の染料移動を抑制する抑制力）に優れていることが判明した。